(57)【要約】【課題】意匠性を向上させることを可能とするガスケット部材の固定方法を提供すること。【解決手段】窓ガラス材１に対するガスケット部材２の固定を、窓ガラス材１の側端面にガスケット部材２を両面接着テープ４によって接着することによって行う。この際、ガスケット部材２をその外面が窓ガラス材１の外面１ｆと略面一状態になるように窓ガラス材１の側端面に接着することで、窓ガラス材１の目地部ａに外部側への突出部が形成されない。したがって、意匠性を向上させることができる。なお、両面接着テープ４の一方の面をガスケット部材２に接着する作業は、ガスケット部材２を仮固定治具５に装着して不動の状態とすることで容易に行うことができる。【選択図】図４
2005282248.tif 000002
【特許請求の範囲】
【請求項１】
窓板材に対してガスケット部材を固定するガスケット部材の固定方法であって、
前記窓板材の側端面に前記ガスケット部材を両面接着テープによって接着することにより前記固定を行うことを特徴とするガスケット部材の固定方法。
【請求項２】
前記ガスケット部材を固定用治具に装着し、
次に、この固定用治具に装着された前記ガスケット部材に対して前記両面接着テープの一方の面を接着し、
次に、前記固定用治具から取り外した前記ガスケット部材を前記両面接着テープの他方の面で前記側端面に接着することを特徴とする請求項１に記載のガスケット部材の固定方法。
【請求項３】
前記ガスケット部材を前記窓板材の側端面に接着した後に、前記固定用治具で前記ガスケット部材を前記側端面に押し付けた状態に保持することを特徴とする請求項２に記載のガスケット部材の固定方法。
【請求項４】
前記ガスケット部材を固定用治具に装着し、
次に、この固定用治具に装着された前記ガスケット部材に対して前記両面接着テープを接着し、
次に、前記固定用治具に装着したままのガスケット部材を前記側端面に直接押し付け、接着させることを特徴とする請求項１に記載のガスケット部材の固定方法。
【発明の詳細な説明】
【技術分野】
【０００１】
本発明は、窓板材へのガスケット部材の固定方法に関する。
【背景技術】
【０００２】
建物の窓開口に連接される複数の窓板材の目地部をシールするシール構造としては、例えば、特許文献１に記載されているものがある。
この特許文献１に記載されている目地部のシール構造は、図９に示すように、隣り合う窓板材１０４ａ、１０４ｂの目地部に沿う方立部材１０６に連結固定されたガスケット支持部材１０９ａ、１０９ｂに支持され、窓板材１０４ａ、１０４ｂの対向する側端部をそれぞれ嵌め込み支持するように一対のガスケット部材１０８ａ、１０８ｂが設けられている。そして前記一対のガスケット部材１０８ａ、１０８ｂの少なくとも一方に断面中空のシール凸状１１２を一体成型し、このシール凸状１１２が弾性変形して窓板材１０４ａ、１０４ｂの面外方向、面内方向のずれを吸収することで水密性が向上する、という効果が記載されている。
【特許文献１】特開平１１─３０３５２２号公報
【発明の開示】
【発明が解決しようとする課題】
【０００３】
しかしながら、前記公報に記載されているシール構造においては、ガスケット部材１０８ａ、１０８ｂを窓板材１０４ａ、１０４ｂに嵌め込んでいるために、窓板材１０４ａ、１０４ｂの目地部の外部側にガスケット部材１０８ａ、１０８ｂによる突出部が形成され、意匠的に好ましくない場合が多い。
【０００４】
本発明の課題は、意匠性を向上させることを可能とするガスケット部材の固定方法を提供することである。
【課題を解決するための手段】
【０００５】
上記課題を解決するため、請求項１に記載の発明は、例えば図１〜図８に示すように、
窓板材（窓ガラス材１）に対してガスケット部材２を固定するガスケット部材２の固定方法であって、
前記窓板材（窓ガラス材１）の側端面に前記ガスケット部材２を両面接着テープ４によって接着することにより前記固定を行うことを特徴としている。
【０００６】
ここで、前記窓板材の側端面にガスケット部材を両面接着テープによって接着する場合、窓板材は図１等に示すように、２枚以上のガラス板間の周辺部にスペーサを介して対向させた複層構造のものでもよいし、複数枚のガラス板どうしを中間膜等で接着した合わせガラスあるいは単板ガラスであってもよい。
【０００７】
請求項１に記載の発明によれば、前記窓板材に対する前記ガスケット部材の固定が、前記ガスケット部材が前記窓板材の側端面に両面接着テープによって接着されることにより行われる。これにより、前記ガスケット部材をその外面が前記窓板材の外面と略面一状態になるように前記窓板材の側端面に接着することで、窓板材の目地部に外部側への突出部が形成されず、フラット面となる。したがって、意匠性を向上させることができる。
【０００８】
請求項２記載の発明は、例えば図１〜図８に示すように、請求項１に記載のガスケット部材２の固定方法において、
前記ガスケット部材２を固定用治具５に装着し、
次に、この固定用治具５に装着された前記ガスケット部材２に対して前記両面接着テープ４の一方の面を接着し、
次に、前記固定用治具５から取り外した前記ガスケット部材２を前記両面接着テープ４の他方の面で前記側端面に接着することを特徴としている。
【０００９】
請求項２に記載の発明によれば、前記ガスケット部材が前記固定用治具に装着されることで不動の状態に保持されるので、前記ガスケット部材に対して前記両面接着テープの一方の面を接着する作業を容易に行うことができる。
【００１０】
請求項３に記載の発明は、例えば図１〜図８に示すように、請求項２に記載のガスケット部材２の固定方法において、
前記ガスケット部材２を前記窓板材（窓ガラス材１）の側端面に接着した後に、前記固定用治具５で前記ガスケット部材２を前記側端面に押し付けた状態に保持することを特徴としている。
【００１１】
請求項３に記載の発明によれば、前記固定用治具で前記ガスケット部材が前記側端面に押し付けられた状態に保持されることで適切な養生が行われる。したがって、前記ガスケット部材の前記側端面に対する接着を確実なものとすることができる。
【００１２】
請求項４に記載の発明は、請求項１に記載のガスケット部材の固定方法において、
ガスケット部材を固定用治具に装着し、
次に、この固定用治具に装着された前記ガスケット部材に対して前記両面接着テープを接着し、
次に、前記固定用治具に装着したままのガスケット部材を前記側端面に直接押し付け、接着させることを特徴とする。
【００１３】
請求項４に記載の発明によれば、固定用治具に装着したままのガスケット部材を窓板材の側端面に直接押し付け、接着させるので、ガスケット部材を窓板材の側端面に接着させる作業から、接着後の養生を行う作業へ容易に移ることができる。
【発明の効果】
【００１４】
請求項１に記載の発明によれば、前記窓板材に対する前記ガスケット部材の固定が、前記ガスケット部材が前記窓板材の側端面に両面接着テープによって接着されることにより行われる。これにより、前記ガスケット部材をその外面が前記窓板材の外面と略面一状態になるように前記窓板材の側端面に接着することで、窓板材の目地部に外部側への突出部が形成されず、フラット面となる。したがって、意匠性を向上させることができる。
【００１５】
請求項２に記載の発明によれば、請求項１に記載の発明と同様の効果を得られることは勿論のこと、前記ガスケット部材が前記固定用治具に装着されることで不動の状態に保持されるので、前記ガスケット部材に対して前記両面接着テープの一方の面を接着する作業を容易に行うことができる。
【００１６】
請求項３に記載の発明によれば、請求項２に記載の発明と同様の効果を得られることは勿論のこと、前記固定用治具で前記ガスケット部材が前記側端面に押し付けられた状態に保持されることで適切な養生が行われる。したがって、前記ガスケット部材の前記側端面に対する接着を確実なものとすることができる。
【発明を実施するための最良の形態】
【００１７】
以下、図１〜図８を参照して、本発明であるガスケット部材の固定方法の実施の形態について詳細に説明する。
【００１８】
本発明に係るシール構造は、図１（ａ）に示すように、建物にその躯体の外面に沿ってカーテンウォール形式の窓ガラス材（窓板材）１、１を施工する場合等に適用され、連設される複数の窓ガラス材１、１の目地部ａを、これら窓ガラス材１、１の対向する側端部１ａ、１ａ(図５参照)にそれぞれ設けられる一対のガスケット部材２、２によってシールするものである。
【００１９】
図１に示すように、窓ガラス材１、１は、２枚のガラス板１ｂ、１ｂで挟んだスペーサ１ｃの外側にシーリング材１ｄが充填されて密閉された複層構造となっている。窓ガラス材１、１の目地部ａの内部側には、これら窓ガラス材１、１を主にそれらの上端部および下端部において支持し、アルミ合金等からなる方立部材３が上下に延在して設けられている。この方立部材３は、対向する窓ガラス材１、１をそれらの側端部１ａ、１ａにおいてもそれぞれ支持しており、方立部材３と窓ガラス材１、１の内面１ｅとの間には、スペーサ３ａ、シーリング材３ｂ等が設けられている。窓ガラス材１、１の側端面それぞれには、例えばクロロプレンゴム等のゴム材からなる同一断面形状の一対のガスケット部材２、２が、目地部ａを挟んで左右対称となるように固定されている。
【００２０】
ここで、ガスケット部材２の窓ガラス材１の側端面に対する固定は、シール性能を備えた両面接着テープ４によってなされている。これにより、ガスケット部材２、２は、その後述する薄板状部２ｃが窓ガラス材１の外面１ｆと略面一状態となるため、窓ガラス材１、１の目地部ａに外部側への突出部が形成されないようになっている。なお、窓ガラス材１が複層構造となっていることで窓ガラス材１の側端面が複数形成され、これら側端面とガスケット部材２との接着性が向上するようになっている。
【００２１】
一対のガスケット部材２、２は、図１（ｂ）に示すように、窓ガラス材１、１の側端面にそれぞれ接着される接着面部２ａ、２ａを備え、これら接着面部２ａ、２ａが窓ガラス材１、１の側端面にそれぞれ接着された状態で、反対側の側端部１ａ、１ａに向けて断面中空状にそれぞれ形成される一対の凸状部２ｂ、２ｂ、これら凸状部２ｂ、２ｂから外部側に離間した位置に反対側の側端部１ａ、１ａに向けてそれぞれ薄板状に形成される一対の薄板状部２ｃ、２ｃとを備えている。接着面部２ａ、２ａには、両面接着テープ４が挿入された状態で接着される接着溝２ａ１が２列形成されている。
【００２２】
窓ガラス材１、１は、一対の凸状部２ｂ、２ｂが互いに密接し、一対の薄板状部２ｃ、２ｃが互いに重なり合った状態で配設されている。
【００２３】
以下に、本発明に係るガスケット部材２の窓ガラス材１の側端面に対する接着方法を説明する。
【００２４】
先ず、図２に示すような固定用治具５を用意する。該固定用治具５は図１に示すようなガスケット部材２を、その窓ガラス材１に対する接着面部２ａにおける接着面が露出した状態に挿入可能な挿入部５ａを有する。この固定用治具５は木材等から構成され、窓ガラス材１の側端面の長さより長く、図２に示すような挿入部５ａが図１に示すようなガスケット部材２の凸状部２ｂ、薄板状部２ｃ等の形状に係合する断面形状に成型されている。
【００２５】
次に、図３に示すように、固定用治具５にガスケット部材２を装着する。この装着は、接着面部２ａの、窓ガラス材１への接着面が露出するようにガスケット部材２を固定用治具５の挿入部５ａに挿入することにより行う。なお、接着面は、予め布による乾拭きの後、洗浄液を浸した別の布で拭いて表面の油やゴミを取り除いておく。
【００２６】
次に、図４に示すように、両面接着テープ４の一方の面のフィルムをはがし、接着面部２ａの露出した接着面に形成された接着溝２ａ１（図１（ｂ）参照）に両面接着テープを挿入した状態で接着し、さらに指等で軽く押して圧着する。なお、接着前に必要に応じて接着溝２ａ１にプライマを塗布しておく。
【００２７】
次に、図５に示すように、両面接着テープ４が接着されたガスケット部材２を固定用治具５から取り外す。そして、両面接着テープ４の他方の面のフィルムをはがし、両面接着テープ４の他方の接着面を窓ガラス材１の側端面に押し付けるようにしてガスケット部材２を窓ガラス材１の側端面に接着し、さらに指等で軽く押して圧着する。なお、窓ガラス材１の側端面は、予め布による乾拭きの後、洗浄液を浸した別の布で拭いて表面の油やゴミを取り除いておく。
【００２８】
次に、図６、図７に示すように、固定用治具５をその側面でガスケット部材２を押し付けた状態に窓ガラス材１の側端部１ａに仮固定する。固定方法としては、例えば通常の接着跡の残らない紙製のマスキングテープ等の接着テープ６等を用いることにより行えばよい。
【００２９】
この状態で所定期間養生を行い、最後に図８に示すように、固定用治具５を窓ガラス材１の側端部１ａから取り外し、ガスケット部材２を窓ガラス材１の側端部１ａとの長さと同じ長さに切断する。
【００３０】
本実施の形態によれば、以下のような効果を得ることができる。
（１）窓ガラス材１に対するガスケット部材２の固定が、ガスケット部材２が窓ガラス材１の側端面に両面接着テープ４によって接着されることにより行われる。これにより、ガスケット部材２をその外面が窓ガラス材１の外面１ｆと略面一状態になるように窓ガラス材１の側端面に接着することで、窓ガラス材１の目地部ａに外部側への突出部が形成されない。したがって、意匠性を向上させることができる。
【００３１】
（２）ガスケット部材２が固定用治具５に装着されることで不動の状態に保持されるので、ガスケット部材２に対して両面接着テープ４の一方の面を接着する作業を容易に行うことができる。
【００３２】
（３）ガスケット部材２の窓ガラス材１の側端面に対する接着後、固定用治具５でガスケット部材２が窓ガラス材１の側端面に押し付けられた状態に保持されることで適切な養生が行われる。したがって、ガスケット部材２の窓ガラス材１の側端面に対する接着を確実なものとすることができる。
【００３３】
なお、本発明は本実施例に限定されるものではなく、本発明の趣旨を逸脱しない範囲で任意の変更が可能である。
【００３４】
また、本実施の形態においては、固定用治具５に装着された状態で両面接着テープ４が接着されたガスケット部材２を、固定用治具５から取り外して窓ガラス材１の側端面に接着している。しかしながら、ガスケット部材２が装着された状態の固定用治具５を窓ガラス材１の側端部１ａに直接押し付けることによって、ガスケット部材２を窓ガラス材１の側端面に接着することもできる。この場合、ガスケット部材２を窓ガラス材１の側端面に接着させる作業から、接着後の養生を行う作業へ容易に移ることができる。
【図面の簡単な説明】
【００３５】
【図１】（ａ）は本発明に係るシール構造を示す図であり、（ｂ）は本発明に係るガスケット部材を示す平断面図である。
【図２】本発明に係るガスケット部材の固定方法にて使用する固定治具を示す図である。
【図３】本発明に係るガスケット部材の固定方法の一施工過程を示す図である。
【図４】本発明に係るガスケット部材の固定方法の一施工過程を示す図である。
【図５】本発明に係るガスケット部材の固定方法の一施工過程を示す図である。
【図６】本発明に係るガスケット部材の固定方法の一施工過程を示す図である。
【図７】本発明に係るガスケット部材の固定方法の一施工過程を示す図である。
【図８】本発明に係るガスケット部材を窓ガラス材の側端面に接着した状態を示す図である。
【図９】従来のガスケット部材およびこのガスケット部材を用いたシール構造を示す図である。
【符号の説明】
【００３６】
１  窓ガラス材（窓板材）
２  ガスケット部材
５  固定用治具
【図１】
2005282248.tif 000003
【図２】
2005282248.tif 000004
【図３】
2005282248.tif 000005
【図４】
2005282248.tif 000006
【図５】
2005282248.tif 000007
【図６】
2005282248.tif 000008
【図７】
2005282248.tif 000009
【図８】
2005282248.tif 000010
【図９】
2005282248.tif 000011